(57)【要約】【課題】表面構成部材と裏面構成部材との不用意な剥離を防止することができるブリスター容器を提供する。【解決手段】裏面構成部材１１に表面構成部材１２を接合してブリスター容器１１を形成する。表面構成部材１２に、表面側に膨出した膨出部２１を形成し、各膨出部２１に洗浄剤２を収容する。各膨出部２１に、内側に後退する後退部６１を設定し、後退部６１を、中央部が内側へ向けて突出する球面状に形成する。膨出部２１に形成された後退部６１を、他の部位より薄肉に形成し、容易に変形できるように構成する。【選択図】図２
2007210649.tif 000002
【特許請求の範囲】
【請求項１】
固体薬剤を収容する膨出部が膨出形成された表面側構成部材と、該表面側構成部材の裏面に接合された裏面側構成部材とからなるブリスター容器において、
前記膨出部に、内側に後退する後退部を設定したことを特徴とするブリスター容器。
【請求項２】
前記後退部を、前記膨出部の表面に設定するとともに中央部が内側へ向けて突出する球面状に形成したことを特徴とする請求項１記載のブリスター容器。
【請求項３】
前記後退部を、前記膨出部の表面側に設定された複数の同心リング状の段差部で構成し、当該後退部の中心部へ向かうに従って内側へ後退するように前記各段差部を階段状に形成するとともに、当該後退部の中央部に平坦面を形成し、該平坦面で当該膨出部内に収容された前記固体薬剤の移動範囲を規制する規制部を構成したことを特徴とする請求項１記載のブリスター容器。
【請求項４】
前記膨出部に形成された前記後退部を、他の部位より薄肉に形成したことを特徴とする請求項１、２又は３記載のブリスター容器。
【請求項５】
前記固体薬剤が空気中で気体を発生する薬剤であることを特徴とした請求項１から４にいずれか記載のブリスター容器。
【発明の詳細な説明】
【技術分野】
【０００１】
本発明は、固体薬剤を収容するブリスター容器に関する。
【背景技術】
【０００２】
従来、固体薬剤は、図５に示すように、ブリスター容器８０１に収容されて販売されていた（例えば、特許文献１）。
【０００３】
このブリスター容器８０１は、裏面構成部材８１１と、該裏面構成部材８１１に貼着された表面構成部材８１２とによって構成されている。前記裏面構成部材８１１は、長方形状の板紙によって形成されており、前記表面構成部材８１２は、無色透明のプラスチックで形成されている。
【０００４】
この表面構成部材８１２には、表面側に膨出した膨出部８１３，・・・が複数形成されており、各膨出部８１３，・・・には、前記固体薬剤８１５，・・・が収容されるように構成されている。これにより、前記固体薬剤８１５，・・・は、前記膨出部８１３，・・・に収容された状態で、前記表面構成部材８１２と前記裏面構成部材８１１との間に保持されるように構成されている。
【０００５】
前記固体薬剤８１５は、水と反応して発泡する洗浄剤で構成されており、水分を吸収して気体を発生するように構成されている。これにより、台所等の排水管に投入された際に、排水管内の水と反応して発泡することにより、洗浄効果を高められるように構成されている。
【特許文献１】意匠登録第１０２４３５４号公報
【発明の開示】
【発明が解決しようとする課題】
【０００６】
しかしながら、このようなブリスター容器にあっては、膨出部８１３に収容された固体薬剤８１５が前記膨出部８１３内の湿気を吸収すると、当該固体薬剤８１５が膨張するとともに前記膨出部８１３内に気体を発生する。
【０００７】
すると、その力が前記表面構成部材８１２と前記裏面構成部材８１１との剥離力として作用し、前記表面構成部材８１２が前記裏面構成部材８１１から剥がれてしまう恐れがあった。
【０００８】
本発明は、このような従来の課題に鑑みてなされたものであり、表面構成部材と裏面構成部材との不用意な剥離を防止することができるブリスター容器を提供することを目的とするものである。
【課題を解決するための手段】
【０００９】
前記課題を解決するために本発明の請求項１のブリスター容器にあっては、固体薬剤を収容する膨出部が膨出形成された表面側構成部材と、該表面側構成部材の裏面に接合された裏面側構成部材とからなるブリスター容器において、前記膨出部に、内側に後退する後退部を設定した。
【００１０】
すなわち、固体薬剤を収容する膨出部には、内側に後退する後退部が設定されており、前記固体薬剤が前記膨出部内の湿気を吸収して膨張するとともに気体を発生した際には、前記後退部が外側に変形することによって、その力が吸収される。
【００１１】
また、請求項２のブリスター容器においては、前記後退部を、前記膨出部の表面に設定するとともに中央部が内側へ向けて突出する球面状に形成した。
【００１２】
このように、前記膨出部の表面に内側へ向けて突出する球面を凹設することによって前記膨出部に前記後退部が形成される。
【００１３】
さらに、請求項３のブリスター容器では、前記後退部を、前記膨出部の表面側に設定された複数の同心リング状の段差部で構成し、当該後退部の中心部へ向かうに従って内側へ後退するように前記各段差部を階段状に形成するとともに、当該後退部の中央部に平坦面を形成し、該平坦面で当該膨出部内に収容された前記固体薬剤の移動範囲を規制する規制部を構成した。
【００１４】
すなわち、前記後退部は、階段状に形成された同心リング状の段差部で構成されており、その中央部に形成された平坦面は、当該膨出部内に収容された前記固体薬剤の移動範囲を規制する規制部を構成している。
【００１５】
このため、前記膨出部内に収容された前記固体薬剤は、前記膨出部に形成された前記後退部の規制部によって、その移動範囲が規制され、当該膨出部内での不用意な移動が規制される。
【００１６】
また、前記固体薬剤が膨張した際には、前記後退部の前記規制部に当接し、当該後退部を外側へ向けて変形する。すると、当該規制部の外周部に設けられた各段差部が、内圧に応じて段階的に外側へ変形する。
【００１７】
加えて、請求項４のブリスター容器にあっては、前記膨出部に形成された前記後退部を、他の部位より薄肉に形成した。
【００１８】
すなわち、前記固体薬剤が膨張又は気体を発生した際に外側に変形する前記後退部は、他の部位より薄肉に形成されている。これにより、当該後退部の変形が促進される。
【００１９】
また、請求項５のブリスター容器においては、前記固体薬剤が空気中で気体を発生する薬剤である。
【００２０】
これにより、前記固体薬剤から気体が発生した際の内圧変化による表面構成部材と裏面構成部材との不用意な剥離が防止される。
【発明の効果】
【００２１】
以上説明したように本発明の請求項１のブリスター容器にあっては、固体薬剤を収容する膨出部に内側へ後退する後退部が設定されており、前記固体薬剤が前記膨出部内の湿気を吸収して膨張するとともに気体を発生した際には、前記後退部が前記外側に変形することによって、その力を吸収することができる。
【００２２】
このため、前記固体薬剤の膨張及び前記固体薬剤が発生した気体による力が、前記膨出部が形成された表面側構成部材と裏面側構成部材とを剥離する力として作用してしまう従来と比較して、前記表面構成部材と前記裏面構成部材との不用意な剥離を確実に防止することができる。
【００２３】
また、請求項２のブリスター容器においては、前記膨出部の表面に内側へ向けて突出する球面を凹設することによって、前記膨出部に前記後退部を形成することができる。
【００２４】
このとき、前記後退部によって前記膨出部内に収容された前記固体薬剤の移動範囲を規制することもできる。
【００２５】
さらに、請求項３のブリスター容器では、前記後退部が階段状に形成された同心リング状の段差部で構成されており、その中央部に形成された平坦面は、当該膨出部内に収容された前記固体薬剤の移動範囲を規制する規制部を構成している。
【００２６】
このため、前記膨出部内に収容された前記固体薬剤は、前記膨出部に形成された前記後退部の規制部によって、その移動範囲が規制されており、当該膨出部内での前記固体薬剤の不用意な移動を規制することができる。これにより、前記固体薬剤が前記膨出部内にて移動自在となる場合と比較して、移送時に固体薬剤に生じ得る欠けなどの発生を未然に防止することができる。
【００２７】
そして、前記固体薬剤が膨張した際には、当該固体薬剤が前記後退部の前記規制部に当接し、当該後退部を外側へ向けて変形する。すると、当該規制部の外周部に設けられた各段差部が、内圧に応じて段階的に外側へ変形する。このため、前記段差部の外側への変形状態によって内部の状態を外部から把握することができる。
【００２８】
加えて、請求項４のブリスター容器にあっては、前記固体薬剤が膨張又は気体を発生した際に外側に変形する前記後退部は、他の部位より薄肉に形成されている。
【００２９】
このため、当該後退部が厚肉に形成された場合と比較して、外側への変形を容易とすることができる。
【００３０】
そして、請求項５のブリスター容器においては、前記固体薬剤が空気中で気体を発生する薬剤であり、前記固体薬剤から気体が発生した際の内圧変化による表面構成部材と裏面構成部材との不用意な剥離を防止することができる。
【発明を実施するための最良の形態】
【００３１】
（第１の実施の形態）
【００３２】
以下、本発明の第１の実施の形態を図に従って説明する。図１は、本実施の形態にかかるブリスター容器１を示す図である。
【００３３】
このブリスター容器１には、図２にも示すように、例えば過炭酸ナトリウムを含有した固体薬剤としての固形の洗浄剤２，・・・が収容されており、当該洗浄剤２を台所等の排水管内に投入し排水管内の水と反応させて発泡させることで、洗浄効果を高められるように構成されている。
【００３４】
すなわち、前記ブリスター容器１は、裏面側を構成する裏面構成部材１１と、該裏面構成部材１１に接合された表面側を構成する表面構成部材１２とによって構成されている。前記裏面構成部材１１は、長方形状の板紙で構成されており、その表面には、印刷が施されている。前記表面構成部材１２は、無色透明のプラスチックで形成されており、当該表面構成部材１２は、金型で形成されている。
【００３５】
この表面構成部材１２には、表面側に膨出した円形の膨出部２１，・・・が形成されており、図１に示したように、等間隔をおいて縦列された膨出部２１，・・・が三列並設されている。縦列する各膨出部２１，・・・の数は、左方へ移るに従って多くなるように構成されており、その上部は、左の列へ移るに従って高くなるように構成されてる。各膨出部２１，・・・には、図３にも示すように、面取された円柱状の前記洗浄剤２，・・・が収容されており、各洗浄剤２，・・・は、前記表面構成部材１２を介して外部から見えるように構成されている。
【００３６】
前記表面構成部材１２は、前記膨出部２１，・・・の周囲部裏面が前記裏面構成部材１１に接合される表面側接合面３１を構成しており、該表面側接合面３１に面接する前記裏面構成部材１１の表面の部位は、前記表面側接合面３１と接合される裏面側接合面３２を構成している。前記裏面構成部材１１の前記裏面側接合面３２には、加熱時に溶解する接着剤が塗布されており、前記表面構成部材１２の前記表面側接合面３１と、前記裏面構成部材１１の前記裏面側接合面３２とは、熱接着により固定されている。これにより、前記膨出部２１，・・・に収容された前記洗浄剤２，・・・は、前記表面構成部材１２と前記裏面構成部材１１との間に保持されている。
【００３７】
前記表面構成部材１２には、図１に示したように、縦方向に延在する縦破線部４１，４１が縦列された左右に隣接する膨出部２１，・・・間に設けられているとともに、横方向に延在する横破線部４２，・・・が横方向に配列された上下に隣接する膨出部２１，・・・間に設けられている。これにより、前記各膨出部２１，・・・は、前記縦破線部４１，４１と前記横破線部４２，・・・とで包囲された矩形状の包囲領域４３，・・・内に設けられている。
【００３８】
前記各破線部４１，４２，・・・は、前記表面構成部材１２の前記表面側接合面３１に断続的に形成された切り込みによって構成されており、当該表面構成部材１２と前記裏面構成部材１１とを接合する際に、両部材１１，１２に入り込んだ空気を逃がすための排気部を構成している。これにより、切断し難いプラスチック製の前記表面構成部材１２は、切断し易い板紙からなる前記裏面構成部材１１と共に前記各破線部４１，４２，・・・に沿って切断できるように構成されており、各破線部４１，４２，・・・による前記包囲領域４３，・・・に設けられた前記膨出部２１，・・・内の洗浄剤２，・・・を個別に切り離して使用できるように構成されている。
【００３９】
また、前記縦破線部４１，４１と前記横破線部４２，・・・とが交差する交差部には、円形の開口部５１，・・・が設けられており、前記両部材１１，１２間に入り込んだ空気を逃がすための排気部が構成されている。
【００４０】
そして、前記表面側構成部材１２の前記各膨出部２１，・・・には、図２及び図３に示したように、内側に後退する後退部６１，・・・が設定されている。該後退部６１は、前記各膨出部２１の表面に設定されており、その中央部が内側へ向けて突出する球面状に形成されている。また、前記膨出部２１に形成された前記後退部６１は、他の部位より薄肉に形成されており、容易に変形できるように構成されている。
【００４１】
以上の構成にかかる本実施の形態において、洗浄剤２を収容した膨出部２１には、内側に後退する後退部６１が設定されており、前記洗浄剤２が前記膨出部２１内の湿気を吸収して膨張するとともに気体を発生した際には、その内圧によって前記後退部６１が外側に変形することで、その力を吸収することができる。
【００４２】
このため、前記洗浄剤２の膨張及び前記洗浄剤２が発生した気体による力が、前記表面側構成部材１２と前記裏面側構成部材１１とを剥離する力として作用してしまう従来と比較して、前記表面構成部材１２と前記裏面構成部材１１との不用意な剥離を確実に防止することができる。
【００４３】
また、前記洗浄剤２が膨張又は気体を発生した際に外側に変形する前記後退部６１は、他の部位より薄肉に形成されている。このため、当該後退部６１が厚肉に形成された場合と比較して、外側への変形を容易とする
【００４４】
そして、前記膨出部２１の表面に内側へ向けて突出する球面を凹設することによって、当該膨出部２１に前記後退部６１を形成することができる。
【００４５】
このとき、前記後退部６１によって前記膨出部２１内に収容された前記洗浄剤２の移動範囲を規制することもでき、移送時における前記洗浄剤２の前記膨出部２１内でのがたつきを防止することができる。
【００４６】
（第２の実施の形態）
【００４７】
以下、本発明の第２の実施の形態を図に従って説明する。図４は、本実施の形態にかかるブリスター容器１０１の要部を示す図であり、第１の実施の形態と同一又は同等な部分に付いては、同符号を付して説明を割愛するとともに、異なる部分に付いて説明する。
【００４８】
すなわち、このブリスター容器１０１の表面側構成部材１１１に形成された膨出部１１２の表面には、内側に後退する後退部１１３が設けられており、該後退部１１３は、前記膨出部１１２の表面に設定された複数の同心円状の第１〜第３段差部１２１〜１２３によって構成されている。各段差部１２１〜１２３は、当該後退部１１３の中心部へ向かうに従って順次内側へ後退するように構成されており、当該後退部１１３は、前記各段差部１２１〜１２３によって階段状に形成されている。
【００４９】
この後退部１１３の中央部には、円形の平坦面が形成されており、該平坦面は、当該膨出部１１２内に収容された前記洗浄剤２の表面に対向し、当該洗浄剤２の移動範囲を規制する規制部１３１を構成している。
【００５０】
なお、本実施の形態では、前記規制部１３１から前記洗浄剤２表面までの間に間隙が残存するように構成した場合を例に挙げたが、これに限定されるものではなく、前記規制部１３１が前記洗浄剤２表面に接するように当該規制部１３１の内側への後退量を設定しても良い。
【００５１】
そして、この膨出部１１２に形成された前記後退部１１３は、他の部位より薄肉に形成されており、容易に変形できるように構成されている。
【００５２】
以上の構成にかかる本実施の形態において、前記洗浄剤２を収容した膨出部１１２には、内側に後退する後退部１１３が設定されており、前記洗浄剤２が前記膨出部１１２内の湿気を吸収して膨張するとともに気体を発生した際には、前記後退部１１３が外側に変形することによって、その力を吸収することができる。
【００５３】
このため、前記洗浄剤２の膨張及び前記洗浄剤２が発生した気体による力が、前記表面側構成部材１１１と前記裏面側構成部材１１とを剥離する力として作用してしまう従来と比較して、前記表面側構成部材１１１と前記裏面構成部材１１との不用意な剥離を確実に防止することができる。
【００５４】
また、前記後退部１１３は、階段状に形成された同心円状の各段差部１２１〜１２３で構成されており、その中央部に形成された平坦面は、当該膨出部１１２内に収容された前記洗浄剤２の移動範囲を規制する規制部１３１を構成している。
【００５５】
このため、前記膨出部１１２内に収容された前記洗浄剤２は、前記膨出部１１２に形成された前記後退部１１３の規制部１３１によって、その移動範囲が規制されており、当該膨出部１１２内での前記洗浄剤２の不用意な移動を規制することができる。これにより、前記洗浄剤２が前記膨出部１１２内にて移動自在となる場合と比較して、移送時に前記洗浄剤２に欠けが生ずる等の不具合を未然に防止することができる。
【００５６】
そして、前記洗浄剤２が膨張した際には、当該洗浄剤２が前記後退部１１３の前記規制部１３１に当接し、当該後退部１１３を外側へ向けて変形する。すると、当該規制部１３１の外周部に設けられた各段差部１２１〜１２３が、当該膨出部１１２の内圧に応じて段階的に外側へ変形する。このため、前記各段差部１２１〜１２３の外側への変形状態によって内部の状態を外部から把握することができる。
【００５７】
このとき、前記後退部１１３は、他の部位より薄肉に形成されている。このため、当該後退部１１３が厚肉に形成された場合と比較して、外側への変形を容易とする
【００５８】
なお、前記各実施の形態では、膨出部２１，１１３内に収容される固体薬剤について過炭酸ナトリウムを含有し、台所等の排水管内に投入した際に排水管内の水と反応して発泡する固形の洗浄剤について説明したが、これに限定されるものでは無い。
【００５９】
すなわち、前記固体薬剤としては、粒状の薬剤であっても、気体発生時には、前述した効果を得ることができる。
【００６０】
また、前記固体薬剤としては、空気中で気体を発生する薬剤、例えば防虫剤として利用し得るパラジクロロベンゼン、ナフタリン、樟脳、アダマンタン、トリシクロドデカン、トリオキサンや、防黴剤として利用できる、α−シンナミックアルデヒド、１，１−ジクロロ−Ｎ−（ジメチルアミノ）スルホニル−１−フルオロ−Ｎ−（４−メチルフェニル）メタンスルフェンアミド、Ｎ−（フルオロジクロロメチルチオ）−フタルイミド、Ｎ−ジクロロフルオロメチルチオ−Ｎ’，Ｎ’−ジメチル−Ｎ−フェニルスルファミド、３−ヨード−２−プロピニルブチルカーバメート、オルトフェニルフェノール、パラクロロメタキシレノール、３−メチル−４−イソプロピルフェノール、イソチオシアン酸アリル等の常温常圧で気化する昇華性薬剤を主剤とした薬剤や、過炭酸ナトリウム、過ホウ酸ナトリウム、炭酸アンモニウム、炭酸リチウム、炭酸ナトリウム、炭酸カリウム、炭酸水素ナトリウム、炭酸水素カリウム、炭酸水素マグネシウム等の空気中の水分と反応して気体を発生する発泡剤を含有する洗浄剤等を収容する場合であっても前述と同様の効果を得ることができる。
【図面の簡単な説明】
【００６１】
【図１】本発明の第１の実施の形態を示す正面図である。
【図２】同実施の形態の側面図である。
【図３】同実施の形態の要部を拡大した断面図である。
【図４】本発明の第２の実施の形態を示す図で、（ａ）は平面図であり、（ｂ）は断面図である。
【図５】従来のブリスター容器を示す図で、（ａ）はその正面図であり、（ｂ）はその側面図である。
【符号の説明】
【００６２】
１    ブリスター容器
２    洗浄剤
１１    裏面構成部材
１２    表面構成部材
２１    膨出部
６１    後退部
１０１    ブリスター容器
１１１    表面構成部材
１１２    膨出部
１１３    後退部
１２１    第１段差部
１２２    第２段差部
１２３    第３段差部
【図１】
2007210649.tif 000003
【図２】
2007210649.tif 000004
【図３】
2007210649.tif 000005
【図４】
2007210649.tif 000006
【図５】
2007210649.tif 000007